(57)【要約】      （修正有）【課題】複雑な標識図案を道路表面に形成する場合、効率低下や塗料の浪費がある。これらの欠点を改善する道路表面の標識が自動的に生じる設備を提供する。【解決手段】主に箱主体１０と、前記箱主体の中に設置された収納チャンバ１１とを含み、前記収納チャンバの左右内壁の中には外部空間に連通している貫通孔１２が設置され、前記収納チャンバの前後内壁の間には塗料箱３３が固定的に設置され、前記塗料箱の中に塗料チャンバ３４が設置され、本発明は自動的に図案付きの形板を伸び出し、しかも自動的に塗料の供給を行い、標識の生成効率を大幅に上げ、労働力のコストを節約し、異なる図案の所要の塗料量が違うため、本発明はまた自動的に異なる形板によって違う量の塗料を供給し、塗料の浪費を避け、比較的に高い実用性を有する。【選択図】図１
2020204239.tif 000002
【特許請求の範囲】
【請求項１】
正面視で、主に箱主体と、前記箱主体の中に設置された収納チャンバとを含み、前記収納チャンバの左右内壁の中には外部空間に連通している貫通孔が設置され、前記収納チャンバの前後内壁の間には塗料箱が固定的に設置され、前記塗料箱の中に塗料チャンバが設置され、前記塗料チャンバの上下壁の間にはリードスクリューが回転できるように設置され、前記リードスクリューにはナットがネジ山により連結され、前記ナットの外面には前記塗料チャンバの内壁とスライドできるように連結された押し板が固定的に設置され、前記押し板の上側に塗料がいっぱい詰められ、
前記収納チャンバの中には形板機構が設置され、前記形板機構は左形板と、右形板とを含み、前記左形板と前記右形板の中には片側へ開口した図案溝が設置され、前記左形板の中の図案溝と前記右形板の中の図案溝とが異なる図案であり、前記右形板と前記左形板の中には連通チャンバが設置され、前記連通チャンバが連通管により前記塗料チャンバに連通しており、前記収納チャンバの後壁には回転軸が左右対称的に回転できるように設置され、前記回転軸には連結ロッドが固定的に設置され、左右の前記連結ロッドの上端がそれぞれ前記左形板と前記右形板の下端面と固定的に連結され、
前記左形板と前記右形板とが使用されていない時に前記収納チャンバの中に収納され、前記収納チャンバの中には動力機構が設置され、道路で標識を生成する時、前記動力機構が前記回転軸を駆動して回転させることができ、前記左形板又は前記右形板を回転させ、回転し終わった後に前記図案溝の開口が路面に向いており、この時に前記リードスクリューが回転して前記押し板を上昇させ、前記塗料チャンバの中の塗料を前記図案溝の中に押し、これにより標識の生成を実現し、前記左形板又は前記右形板を使用する時、前記リードスクリューの回転回数が異なり、塗料の精確用量を実現し、
前記箱主体の外部には移動機構が装着され、前記移動機構が箱主体の移動を便利に実現できることを特徴とする道路表面の標識が自動的に生じる設備。
【請求項２】
前記収納チャンバの中には前電動ガイドレールが設置され、前記前電動ガイドレールの前側にはラックが左右にスライドできるように装着され、前記回転軸には回転ギヤが固定的に設置され、前記ラックが左右の前記回転ギヤの間に位置しており、前記前電動ガイドレールを始動して前記ラックを左方へ運動させる時、前記左形板が回転しながら伸び出て、前記ラックが右方へ運動する時、前記右形板が回転しながら伸び出ることを特徴とする請求項１に記載の道路表面の標識が自動的に生じる設備。
【請求項３】
前記収納チャンバの中には力蓄積機構が設置され、前記力蓄積機構は前記収納チャンバの前壁に回転できるように設置されたギヤ軸を含み、前記ギヤ軸には回転ギヤが固定的に設置され、前記収納チャンバの後壁にはプーリ軸が回転できるように設置され、前記プーリ軸と前記ギヤ軸との間がラチェットギヤ機構により伝動できるように連結され、前記プーリ軸にはラチェットギヤが固定的に設置され、前記プーリ軸と前記収納チャンバの後壁との間には捻りばねが連結され、前記収納チャンバの後壁には下スライド溝が設置され、前記下スライド溝の中には下スライダがスライドできるように設置され、前記下スライダと前記下スライド溝の頂壁との間には下ばねが連結され、前記下スライダの前端面には定位ロッドが固定的に設置され、前記定位ロッドの片側には下方へ伸びている装着ロッドが固定的に設置され、前記装着ロッドには前記ラチェットギヤと噛み合っているラチェット歯止めが装着され、前記力蓄積機構が二つ設置され、それぞれ左側の前記回転ギヤの左側と、右側の前記回転ギヤの右側とに位置しており、二つの前記力蓄積機構と前記回転ギヤとの間の距離が違い、これにより前記ラックが左方又は右方へ運動する時、左側又は右側の前記力蓄積機構の中の前記回転ギヤの回転回数が違うことを特徴とする請求項２に記載の道路表面の標識が自動的に生じる設備。
【請求項４】
前記収納チャンバの後壁には後電動ガイドレールが固定的に設置され、前記前電動ガイドレールが前記後電動ガイドレールの前側の後スライダと固定的に連結され、前記収納チャンバの後壁にはガイド溝が左右対称的に設置され、前記ガイド溝の中にはガイドブロックがスライドできるように設置され、前記ガイドブロックの上端面には回転軸が回転できるように設置され、前記回転軸の上端には伝動ギヤが固定的に設置され、左側の前記回転軸と右側の前記ギヤ軸との間が第一プーリ機構により伝動できるように連結され、右側の前記回転軸と左側の前記ギヤ軸との間が第二プーリ機構により伝動できるように連結され、前記ラックの中には上方へ開口した装着溝が左右対称的に設置され、前記装着溝の中には押圧ブロックがスライドできるように設置され、前記押圧ブロックと前記装着溝の底壁との間には復帰ばねが連結され、前記リードスクリューの下端が前記収納チャンバの中に伸びており、且つ前記リードスクリューの下端にはギヤが固定的に設置されたことを特徴とする請求項３に記載の道路表面の標識が自動的に生じる設備。
【請求項５】
前記収納チャンバの後壁には第一スライド溝が設置され、前記第一スライド溝の中には第一スライダがスライドできるように設置され、前記第一スライダと前記第一スライド溝の底壁との間には第一ばねが連結され、前記後スライダの下端面には引き糸が固定的に設置され、前記引き糸の下端が前記第一スライド溝の底壁を通して前記第一スライド溝の中まで伸びて前記第一スライダの下端面と固定的に連結され、前記第一スライダの前端面には下押しロッドが固定的に設置され、前記下押しロッドが前記回転軸の上端面と当接しており、前記収納チャンバの後壁には前方へ開口したばね溝が左右対称的に設置され、前記ばね溝の中にはスライドブロックがスライドできるように設置され、前記スライドブロックと前記ばね溝の底壁との間には押圧ばねが連結され、前記回転軸の後端が前記スライドブロックの中に回転できるように連結されたことを特徴とする請求項４に記載の道路表面の標識が自動的に生じる設備。
【請求項６】
前記収納チャンバの後壁には前方へ開口した上スライド溝が左右対称的に設置され、前記上スライド溝の中には上スライダがスライドできるように設置され、前記上スライダ前記上スライド溝の頂壁との間には上ばねが連結され、前記上スライダの下端面には前記連通管の中まで伸びている密封板が固定的に設置され、前記密封板が前記連通管を密封し、前記上スライダの下端面には伝動板が固定的に設置され、前記伝動板が下方へ伸びており、前記ラックが上昇する時に前記伝動板を押し、これにより前記密封板が前記連通管を開けることを特徴とする請求項４に記載の道路表面の標識が自動的に生じる設備。
【請求項７】
前記移動機構は前記箱主体の左端面と右端面に設置された支持ロッドを含み、前記支持ロッドが前後対称的に設置され、前記支持ロッドの前端面には装着軸が回転できるように設置され、前記装着軸には移動輪が固定的に設置されたことを特徴とする請求項１に記載の道路表面の標識が自動的に生じる設備。
【請求項８】
前記箱主体の左端面と右端面の中には調整溝が前後対称的に設置され、前記支持ロッドが前記調整溝の中にスライドできるように設置され、前記調整溝の底壁の中には液圧ポンプが固定的に設置され、前記液圧ポンプの上側には液圧ロッドが動力が伝達できるように連結され、前記液圧ロッドが前記支持ロッドの下端面と固定的に連結され、標識の生成を行う時、前記支持ロッドが上方へスライドして前記箱主体を下降させ、これにより前記左形板又は前記右形板を路面に密着させることができるとを特徴とする請求項７に記載の道路表面の標識が自動的に生じる設備。
【発明の詳細な説明】
【技術分野】
【０００１】
本発明は工程機械技術分野を取り上げて、具体的には道路表面の標識が自動的に生じる設備である。
【背景技術】
【０００２】
道路を使用する時、異なる区域の作用によって線を引いて標識をつけ、車道の区分と、横断歩道の標識と、カーブ注意などを含み、これらの標識は一般的に直線又は矢印標識であり、形が比較的に簡単であり、現有の技術において自動的に簡単な線を引ける設備があり、しかし、比較的に複雑な標識図案の中で、自動化を実現にくく、例えば車道と自転車道との区分の中で、車道に車の標識をつけ、自転車道に自転車の標識をつけ、これらの図案の施工方式が一般的に図案付きの形板を路面に置き、そして塗料を形板に塗るという方式であり、効率が比較的に低く、しかも塗料の浪費をもたらし、上記の欠点について、本発明は改善を行った。
【先行技術文献】
【特許文献】
【０００３】
【特許文献１】中国特許出願公開第１０８７０８２６３号明細書
【発明の概要】
【発明が解決しようとする課題】
【０００４】
本発明は道路表面の標識が自動的に生じる設備を提供し、上記欠点を解消することを目的とする。
【課題を解決するための手段】
【０００５】
本発明は以下の技術プランによって実現される：
【０００６】
本発明の道路表面の標識が自動的に生じる設備は、主に箱主体と、前記箱主体の中に設置された収納チャンバとを含み、前記収納チャンバの左右内壁の中には外部空間に連通している貫通孔が設置され、前記収納チャンバの前後内壁の間には塗料箱が固定的に設置され、前記塗料箱の中に塗料チャンバが設置され、前記塗料チャンバの上下壁の間にはリードスクリューが回転できるように設置され、前記リードスクリューにはナットがネジ山により連結され、前記ナットの外面には前記塗料チャンバの内壁とスライドできるように連結された押し板が固定的に設置され、前記押し板の上側に塗料がいっぱい詰められ、
前記収納チャンバの中には形板機構が設置され、前記形板機構は左形板と、右形板とを含み、前記左形板と前記右形板の中には片側へ開口した図案溝が設置され、前記左形板の中の図案溝と前記右形板の中の図案溝とが異なる図案であり、前記右形板と前記左形板の中には連通チャンバが設置され、前記連通チャンバが連通管により前記塗料チャンバに連通しており、前記収納チャンバの後壁には回転軸が左右対称的に回転できるように設置され、前記回転軸には連結ロッドが固定的に設置され、左右の前記連結ロッドの上端がそれぞれ前記左形板と前記右形板の下端面と固定的に連結され、
前記左形板と前記右形板とが使用されていない時に前記収納チャンバの中に収納され、前記収納チャンバの中には動力機構が設置され、道路で標識を生成する時、前記動力機構が前記回転軸を駆動して回転させることができ、前記左形板又は前記右形板を回転させ、回転し終わった後に前記図案溝の開口が路面に向いており、この時に前記リードスクリューが回転して前記押し板を上昇させ、前記塗料チャンバの中の塗料を前記図案溝の中に押し、これにより標識の生成を実現し、前記左形板又は前記右形板を使用する時、前記リードスクリューの回転回数が異なり、塗料の精確用量を実現し、
前記箱主体の外部には移動機構が装着され、前記移動機構が箱主体の移動を便利に実現できる。
【０００７】
好ましくは、前記収納チャンバの中には前電動ガイドレールが設置され、前記前電動ガイドレールの前側にはラックが左右にスライドできるように装着され、前記回転軸には回転ギヤが固定的に設置され、前記ラックが左右の前記回転ギヤの間に位置しており、前記前電動ガイドレールを始動して前記ラックを左方へ運動させる時、前記左形板が回転しながら伸び出て、前記ラックが右方へ運動する時、前記右形板が回転しながら伸び出る。
【０００８】
好ましくは、前記収納チャンバの中には力蓄積機構が設置され、前記力蓄積機構は前記収納チャンバの前壁に回転できるように設置されたギヤ軸を含み、前記ギヤ軸には回転ギヤが固定的に設置され、前記収納チャンバの後壁にはプーリ軸が回転できるように設置され、前記プーリ軸と前記ギヤ軸との間がラチェットギヤ機構により伝動できるように連結され、前記プーリ軸にはラチェットギヤが固定的に設置され、前記プーリ軸と前記収納チャンバの後壁との間には捻りばねが連結され、前記収納チャンバの後壁には下スライド溝が設置され、前記下スライド溝の中には下スライダがスライドできるように設置され、前記下スライダと前記下スライド溝の頂壁との間には下ばねが連結され、前記下スライダの前端面には定位ロッドが固定的に設置され、前記定位ロッドの片側には下方へ伸びている装着ロッドが固定的に設置され、前記装着ロッドには前記ラチェットギヤと噛み合っているラチェット歯止めが装着され、前記力蓄積機構が二つ設置され、それぞれ左側の前記回転ギヤの左側と、右側の前記回転ギヤの右側とに位置しており、二つの前記力蓄積機構と前記回転ギヤとの間の距離が違い、これにより前記ラックが左方又は右方へ運動する時、左側又は右側の前記力蓄積機構の中の前記回転ギヤの回転回数が違う。
【０００９】
好ましくは、前記収納チャンバの後壁には後電動ガイドレールが固定的に設置され、前記前電動ガイドレールが前記後電動ガイドレールの前側の後スライダと固定的に連結され、前記収納チャンバの後壁にはガイド溝が左右対称的に設置され、前記ガイド溝の中にはガイドブロックがスライドできるように設置され、前記ガイドブロックの上端面には回転軸が回転できるように設置され、前記回転軸の上端には伝動ギヤが固定的に設置され、左側の前記回転軸と右側の前記ギヤ軸との間が第一プーリ機構により伝動できるように連結され、右側の前記回転軸と左側の前記ギヤ軸との間が第二プーリ機構により伝動できるように連結され、前記ラックの中には上方へ開口した装着溝が左右対称的に設置され、前記装着溝の中には押圧ブロックがスライドできるように設置され、前記押圧ブロックと前記装着溝の底壁との間には復帰ばねが連結され、前記リードスクリューの下端が前記収納チャンバの中に伸びており、且つ前記リードスクリューの下端にはギヤが固定的に設置された。
【００１０】
好ましくは、前記収納チャンバの後壁には第一スライド溝が設置され、前記第一スライド溝の中には第一スライダがスライドできるように設置され、前記第一スライダと前記第一スライド溝の底壁との間には第一ばねが連結され、前記後スライダの下端面には引き糸が固定的に設置され、前記引き糸の下端が前記第一スライド溝の底壁を通して前記第一スライド溝の中まで伸びて前記第一スライダの下端面と固定的に連結され、前記第一スライダの前端面には下押しロッドが固定的に設置され、前記下押しロッドが前記回転軸の上端面と当接しており、前記収納チャンバの後壁には前方へ開口したばね溝が左右対称的に設置され、前記ばね溝の中にはスライドブロックがスライドできるように設置され、前記スライドブロックと前記ばね溝の底壁との間には押圧ばねが連結され、前記回転軸の後端が前記スライドブロックの中に回転できるように連結された。
【００１１】
好ましくは、前記収納チャンバの後壁には前方へ開口した上スライド溝が左右対称的に設置され、前記上スライド溝の中には上スライダがスライドできるように設置され、前記上スライダ前記上スライド溝の頂壁との間には上ばねが連結され、前記上スライダの下端面には前記連通管の中まで伸びている密封板が固定的に設置され、前記密封板が前記連通管を密封し、前記上スライダの下端面には伝動板が固定的に設置され、前記伝動板が下方へ伸びており、前記ラックが上昇する時に前記伝動板を押し、これにより前記密封板が前記連通管を開ける。
【００１２】
好ましくは、前記移動機構は前記箱主体の左端面と右端面に設置された支持ロッドを含み、前記支持ロッドが前後対称的に設置され、前記支持ロッドの前端面には装着軸が回転できるように設置され、前記装着軸には移動輪が固定的に設置された。
【００１３】
好ましくは、前記箱主体の左端面と右端面の中には調整溝が前後対称的に設置され、前記支持ロッドが前記調整溝の中にスライドできるように設置され、前記調整溝の底壁の中には液圧ポンプが固定的に設置され、前記液圧ポンプの上側には液圧ロッドが動力が伝達できるように連結され、前記液圧ロッドが前記支持ロッドの下端面と固定的に連結され、標識の生成を行う時、前記支持ロッドが上方へスライドして前記箱主体を下降させ、これにより前記左形板又は前記右形板を路面に密着させることができる。
【発明の効果】
【００１４】
本発明の有益効果は：本発明を使用して図案の生成を行う時、本発明は自動的に図案付きの形板を伸び出し、しかも自動的に塗料の供給を行い、標識の生成効率を大幅に上げ、労働力のコストを節約し、異なる図案の所要の塗料量が違うため、本発明はまた自動的に異なる形板によって違う量の塗料を供給し、塗料の浪費を避け、比較的に高い実用性を有する。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の全体構成模式図
【図２】図２は図１の中のＡ―Ａのところの構成模式図
【図３】図３は図１の中のＢ―Ｂのところの構成模式図
【図４】図４は図１の中のＣ―Ｃのところの構成模式図
【図５】図５は図１の中のＤのところの断面図
【図６】図６は図１の中のＥのところの構成模式図
【発明を実施するための形態】
【００１７】
図１〜６を参照し、本発明の道路表面の標識が自動的に生じる設備は、主に箱主体１０と、前記箱主体１０の中に設置された収納チャンバ１１とを含み、前記収納チャンバ１１の左右内壁の中には外部空間に連通している貫通孔１２が設置され、前記収納チャンバ１１の前後内壁の間には塗料箱３３が固定的に設置され、前記塗料箱３３の中に塗料チャンバ３４が設置され、前記塗料チャンバ３４の上下壁の間にはリードスクリュー２２が回転できるように設置され、前記リードスクリュー２２にはナット２４がネジ山により連結され、前記ナット２４の外面には前記塗料チャンバ３４の内壁とスライドできるように連結された押し板２３が固定的に設置され、前記押し板２３の上側に塗料がいっぱい詰められ、
【００１８】
前記収納チャンバ１１の中には形板機構９０が設置され、前記形板機構９０は左形板１４と、右形板３１とを含み、前記左形板１４と前記右形板３１の中には片側へ開口した図案溝３２が設置され、前記左形板１４の中の図案溝３２と前記右形板３１の中の図案溝３２とが異なる図案であり、前記右形板３１と前記左形板１４の中には連通チャンバ３５が設置され、前記連通チャンバ３５が連通管１５により前記塗料チャンバ３４に連通しており、前記収納チャンバ１１の後壁には回転軸２８が左右対称的に回転できるように設置され、前記回転軸２８には連結ロッド１３が固定的に設置され、左右の前記連結ロッド１３の上端がそれぞれ前記左形板１４と前記右形板３１の下端面と固定的に連結され、
【００１９】
前記左形板１４と前記右形板３１とが使用されていない時に前記収納チャンバ１１の中に収納され、前記収納チャンバ１１の中には動力機構９１が設置され、道路で標識を生成する時、前記動力機構９１が前記回転軸２８を駆動して回転させることができ、前記左形板１４又は前記右形板３１を回転させ、回転し終わった後に前記図案溝３２の開口が路面に向いており、この時に前記リードスクリュー２２が回転して前記押し板２３を上昇させ、前記塗料チャンバ３４の中の塗料を前記図案溝３２の中に押し、これにより標識の生成を実現し、前記左形板１４又は前記右形板３１を使用する時、前記リードスクリュー２２の回転回数が異なり、塗料の精確用量を実現し、
【００２０】
前記箱主体１０の外部には移動機構９２が装着され、前記移動機構９２が箱主体１０の移動を便利に実現できる。  
【００２１】
前記収納チャンバ１１の中には前電動ガイドレール３８が設置され、前記前電動ガイドレール３８の前側にはラック６２が左右にスライドできるように装着され、前記回転軸２８には回転ギヤ４９が固定的に設置され、前記ラック６２が左右の前記回転ギヤ４９の間に位置しており、前記前電動ガイドレール３８を始動して前記ラック６２を左方へ運動させる時、前記左形板１４が回転しながら伸び出て、前記ラック６２が右方へ運動する時、前記右形板３１が回転しながら伸び出る。  
【００２２】
前記収納チャンバ１１の中には力蓄積機構９３が設置され、前記力蓄積機構９３は前記収納チャンバ１１の前壁に回転できるように設置されたギヤ軸４５を含み、前記ギヤ軸４５には回転ギヤ４６が固定的に設置され、前記収納チャンバ１１の後壁にはプーリ軸６１が回転できるように設置され、前記プーリ軸６１と前記ギヤ軸４５との間がラチェットギヤ機構５７により伝動できるように連結され、前記プーリ軸６１にはラチェットギヤ５８が固定的に設置され、前記プーリ軸６１と前記収納チャンバ１１の後壁との間には捻りばね５９が連結され、前記収納チャンバ１１の後壁には下スライド溝４０が設置され、前記下スライド溝４０の中には下スライダ４２がスライドできるように設置され、前記下スライダ４２と前記下スライド溝４０の頂壁との間には下ばね４１が連結され、前記下スライダ４２の前端面には定位ロッド４３が固定的に設置され、前記定位ロッド４３の片側には下方へ伸びている装着ロッド４４が固定的に設置され、前記装着ロッド４４には前記ラチェットギヤ５８と噛み合っているラチェット歯止め６０が装着され、前記力蓄積機構９３が二つ設置され、それぞれ左側の前記回転ギヤ４９の左側と、右側の前記回転ギヤ４９の右側とに位置しており、二つの前記力蓄積機構９３と前記回転ギヤ４９との間の距離が違い、これにより前記ラック６２が左方又は右方へ運動する時、左側又は右側の前記力蓄積機構９３の中の前記回転ギヤ４６の回転回数が違う。
【００２３】
前記収納チャンバ１１の後壁には後電動ガイドレール６６が固定的に設置され、前記前電動ガイドレール３８が前記後電動ガイドレール６６の前側の後スライダ６７と固定的に連結され、前記収納チャンバ１１の後壁にはガイド溝２９が左右対称的に設置され、前記ガイド溝２９の中にはガイドブロック３０がスライドできるように設置され、前記ガイドブロック３０の上端面には回転軸２６が回転できるように設置され、前記回転軸２６の上端には伝動ギヤ２７が固定的に設置され、左側の前記回転軸２６と右側の前記ギヤ軸４５との間が第一プーリ機構７２により伝動できるように連結され、右側の前記回転軸２６と左側の前記ギヤ軸４５との間が第二プーリ機構３７により伝動できるように連結され、前記ラック６２の中には上方へ開口した装着溝６５が左右対称的に設置され、前記装着溝６５の中には押圧ブロック６３がスライドできるように設置され、前記押圧ブロック６３と前記装着溝６５の底壁との間には復帰ばね６４が連結され、前記リードスクリュー２２の下端が前記収納チャンバ１１の中に伸びており、且つ前記リードスクリュー２２の下端にはギヤ２５が固定的に設置された。
【００２４】
前記収納チャンバ１１の後壁には第一スライド溝７０が設置され、前記第一スライド溝７０の中には第一スライダ６８がスライドできるように設置され、前記第一スライダ６８と前記第一スライド溝７０の底壁との間には第一ばね６９が連結され、前記後スライダ６７の下端面には引き糸７１が固定的に設置され、前記引き糸７１の下端が前記第一スライド溝７０の底壁を通して前記第一スライド溝７０の中まで伸びて前記第一スライダ６８の下端面と固定的に連結され、前記第一スライダ６８の前端面には下押しロッド３９が固定的に設置され、前記下押しロッド３９が前記回転軸２８の上端面と当接しており、前記収納チャンバ１１の後壁には前方へ開口したばね溝４８が左右対称的に設置され、前記ばね溝４８の中にはスライドブロック５３がスライドできるように設置され、前記スライドブロック５３と前記ばね溝４８の底壁との間には押圧ばね４７が連結され、前記回転軸２８の後端が前記スライドブロック５３の中に回転できるように連結された。
【００２５】
前記収納チャンバ１１の後壁には前方へ開口した上スライド溝２０が左右対称的に設置され、前記上スライド溝２０の中には上スライダ１８がスライドできるように設置され、前記上スライダ１８前記上スライド溝２０の頂壁との間には上ばね１９が連結され、前記上スライダ１８の下端面には前記連通管１５の中まで伸びている密封板１６が固定的に設置され、前記密封板１６が前記連通管１５を密封し、前記上スライダ１８の下端面には伝動板１７が固定的に設置され、前記伝動板１７が下方へ伸びており、前記ラック６２が上昇する時に前記伝動板１７を押し、これにより前記密封板１６が前記連通管１５を開ける。
【００２６】
前記移動機構９２は前記箱主体１０の左端面と右端面に設置された支持ロッド５２を含み、前記支持ロッド５２が前後対称的に設置され、前記支持ロッド５２の前端面には装着軸５０が回転できるように設置され、前記装着軸５０には移動輪５１が固定的に設置された。
【００２７】
前記箱主体１０の左端面と右端面の中には調整溝５４が前後対称的に設置され、前記支持ロッド５２が前記調整溝５４の中にスライドできるように設置され、前記調整溝５４の底壁の中には液圧ポンプ５６が固定的に設置され、前記液圧ポンプ５６の上側には液圧ロッド５５が動力が伝達できるように連結され、前記液圧ロッド５５が前記支持ロッド５２の下端面と固定的に連結され、標識の生成を行う時、前記支持ロッド５２が上方へスライドして前記箱主体１０を下降させ、これにより前記左形板１４又は前記右形板３１を路面に密着させることができる。
【００２８】
装置全体の機械作動の順序は：
【００２９】
１：移動輪５１により箱主体１０を作業区域まで移動させた後、液圧ポンプ５６を始動して液圧ロッド５５により支持ロッド５２を連動させて上方へスライドさせ、箱主体１０の高度を下げ、
【００３０】
２：左形板１４を使用する時に前電動ガイドレール３８を始動してラック６２を左方へスライドさせ、右形板３１を使用する時に前電動ガイドレール３８を始動してラック６２を右方へスライドさせ、
【００３１】
３：ラック６２が回転ギヤ４９と噛み合っていることにより回転軸２８を連動させて回転させ、回転軸２８が連結ロッド１３により左形板１４又は右形板３１を連動させて回転させ、ラック６２が回転ギヤ４６と噛み合っていることによりギヤ軸４５を連動させて回転させ、ギヤ軸４５がラチェットギヤ機構５７によりプーリ軸６１を連動させて回転させ、捻りばね５９が弾性エネルギーを蓄積し、押圧ブロック６３がガイドブロック３０と当接してガイドブロック３０をギヤ２５の側へスライドさせ、これにより伝動ギヤ２７がギヤ２５と噛み合い、この時に押圧ブロック６３が圧力の作用のもとで装着溝６５の中に収縮され、
【００３２】
４：左形板１４又は右形板３１が水平状態になるまで回転する時、前電動ガイドレール３８が停止し、後電動ガイドレール６６が起動し、これにより後スライダ６７が前電動ガイドレール３８を連動させて上昇させ、後スライダ６７が引き糸７１により第一スライダ６８を引き動かして下降させ、第一スライダ６８が下圧しロッド３９により回転軸２８を下方へ押し、これにより左形板１４又は右形板３１を路面に密着させ、
【００３３】
５：前電動ガイドレール３８がラック６２を連動させて上昇させ、ラック６２が回転ギヤ４６から離脱し、ラック６２が伝動板１７を押して上スライダ１８を連動させて上方へスライドさせ、上スライダ１８が密封板１６を連動させて上方へスライドさせて連通管１５を開け、
【００３４】
６：前電動ガイドレール３８が定位ロッド４３を押して上昇させ、これにより装着ロッド４４が上昇し、ラチェット歯止め６０がラチェットギヤ５８から離脱し、プーリ軸６１が捻りばね５９の作用のもとで回転し、第二プーリ機構３７又は第一プーリ機構７２により回転軸２６を連動させて回転させ、これにより伝動ギヤ２７によりギヤ２５を連動させて回転させ、ギヤ２５がリードスクリュー２２を連動させて回転させ、ナット２４が押し板２３を連動させて上昇させ、これにより塗料チャンバ３４の中の塗料を押し、塗料が連通管１５と、連通チャンバ３５とにより図案溝３２の中に入って標識の生成を実現する。
【００３５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020204239.tif 000003
【図２】
2020204239.tif 000004
【図３】
2020204239.tif 000005
【図４】
2020204239.tif 000006
【図５】
2020204239.tif 000007
【図６】
2020204239.tif 000008